(57)【要約】      （修正有）【課題】基板対基板の接続方式に応用される浮動式コネクタを提供する。【解決手段】浮動式コネクタ１０はオス端部１２、メス端部１４及び固定部材１６を含む。オス端部は第一端子１２４を設置し、延伸部材１２２を形成する。メス端部は基座１４１、蓋体１４３及び第二端子１４４を含む。基座と蓋体は結合して第二端子を設置する。蓋体の両側にはそれぞれ、延伸部材と組合される結合部材１４２が形成される。結合部材の内縁には突塊が形成される。固定部材の一端は蓋体の表面に設置され、固定部材のもう一方の一端は板体に固定される。オス端部とメス端部が結合すると、延伸部材が結合部材に引掛かることで、オス端部を軸方向へと位置制限し、そしてメス端部が固定部材により平面方向へと位置制限される。【選択図】図１
0003222722.tif 000002
【実用新案登録請求の範囲】
【請求項１】
第一板体及び第二板体と接続される浮動式コネクタであり、前記浮動式コネクタがオス端部と、メス端部と、固定部材とを含み、
前記オス端部が第一収容空間を形成することで第一端子を設置し、前記オス端部の両側にはそれぞれ延伸部材が形成され、前記第一端子の一端が前記第一板体に接続され、前記延伸部材の側辺に肋体が形成され、
前記メス端部が基座と、蓋体と、第二端子とを備え、前記基座と前記蓋体が結合して第二収容空間を形成することで第二端子を設置し、前記第二端子の一端が前記第二板体に接続され、前記第二端子のもう一方の一端が前記第一端子のもう一方の一端に接続され、前記蓋体の両側にはそれぞれ、前記延伸部材と組合さる結合部材が形成され、前記結合部材の内縁には突塊が形成され、
前記固定部材が前記メス端部の両側に設置され、前記固定部材の一端が前記蓋体の表面に設置され、前記固定部材のもう一方の一端が前記第二板体に固定され、
そのうち、前記オス端部と前記メス端部が結合すると、前記肋体が前記突塊に引掛かることで、前記オス端部を軸方向へと位置制限し、前記メス端部が前記固定部材により平面方向へと位置制限され、前記軸方向が前記平面方向に垂直であることを特徴とする、浮動式コネクタ。
【請求項２】
前記延伸部材の構造の形状がＬ字形に類似する形状であり、前記結合部材の切欠の形状がＬ字形に類似する形状であることを特徴とする、請求項１に記載の浮動式コネクタ。
【請求項３】
前記結合部材が斜面を備え、前記斜面が、前記結合部材が前記延伸部材と接続する側に形成され、前記延伸部材が前記結合部材に滑入されることを特徴とする、請求項２に記載の浮動式コネクタ。
【請求項４】
前記結合部材が、前記切欠と連通する凹溝を形成することで、前記結合部材が弾性を有することを特徴とする、請求項２に記載の浮動式コネクタ。
【請求項５】
前記突塊が前記結合部材の内縁の一箇所を形成し、且つ前記箇所の前記内縁での高さが、前記オス端部が前記メス端部の軸方向へと制限される際の移動量を決定することを特徴とする、請求項１に記載の浮動式コネクタ。
【請求項６】
前記固定部材が前記蓋体の表面と距離を取り、前記距離が前記メス端部の軸方向または平面方向の移動量を決定することを特徴とする、請求項１に記載の浮動式コネクタ。
【請求項７】
前記固定部材が前記基座に固定され、前記基座が前記平面方向の移動量を生じないように制限されることを特徴とする、請求項１に記載の浮動式コネクタ。
【請求項８】
前記第二端子が更に突出部材及び弾性部材を含み、前記突出部材が前記弾性部材の一端と、前記第二端子の前記もう一方の一端との間に形成され、前記突出部材が前記蓋体と接続され、前記弾性部材のもう一方の一端が前記第二端子の前記一端と接続され、前記突出部材が前記蓋体から来る外力を受けることで、前記弾性部材に変形を生成させ、更に前記蓋体を平面方向において移動させることを特徴とする、請求項１に記載の浮動式コネクタ。
【請求項９】
前記蓋体が前記第二収容空間で挿溝を形成することで、前記突出部材が前記挿溝に挿入されることを特徴とする、請求項１に記載の浮動式コネクタ。
【請求項１０】
前記延伸部材が延伸斜面を形成し、前記突塊が凸塊斜面を形成し、前記延伸斜面が前記凸塊斜面と対応して設置されることで、前記延伸部材が結合部材から離脱することを特徴とする、請求項１に記載の浮動式コネクタ。
【考案の詳細な説明】
【技術分野】
【０００１】
本考案はコネクタの技術分野に属し、特に、オス端部とメス端部が基板対基板の接続を行う浮動式コネクタである。
【背景技術】
【０００２】
従来においては、浮動式コネクタはコネクタが結合した後、例えばＸ軸、Ｙ軸及びＺ軸において僅かの偏移量を提供することで、組立後のコネクタを接続させやすくしていた。
【０００３】
従来の浮動式コネクタは接続がしやすいものの、組立後は外力の衝撃を受けた際、偏移量の誤差によりオス端部がメス端部から離脱することがある。
【０００４】
これに鑑み、本考案では浮動式コネクタを提供することで、従来のコネクタの問題を解決する。
【考案の概要】
【０００５】
本考案の第一の目的は、基板対基板の接続方式に応用される、浮動式コネクタを提供することである。
【０００６】
本考案の第二の目的は、前述の浮動式コネクタに基づき、ロックによる固定を行う構造を通じて、オス端部とメス端部が容易に離れないように接続することである。
【０００７】
本考案の第三の目的は、一回限りのロックによる固定を行う構造を有する浮動式コネクタに基づき、軸方向と平面方向の偏移量を提供することで取り付けをしやすくすることである。
【０００８】
本考案の第四の目的は、前述の浮動式コネクタに基づき、延伸部材、結合部材及び固定部材を通じて、オス端部とメス端部を一定の軸方向でのまたは一定の平面での移動へと制限することである。
【０００９】
本考案の第五の目的は、前述の浮動式コネクタに基づき、延伸部材と結合部材の凸塊とが相応する斜面構造を通じて、複数回の組立という目的を達することである。
【００１０】
本考案の第六の目的は、前述の浮動式コネクタに基づき、突出部材及び弾性部材を含む第二端子を提供し、突出部材が蓋体に接続されることで、且つ弾性部材の助けにより、蓋体から来る外力に基づいて弾性部材に変形を生成させ、蓋体を平面方向において移動させることである。
【００１１】
本考案の第七の目的は、前述の浮動式コネクタに基づき、メス端部が基座、蓋体及び第二端子を含み、蓋体が基座に対応して浮動することである。
【００１２】
上述の及びその他の目的を達成するため、本考案は第一板体及び第二板体と接続される浮動式コネクタを提供し、浮動式コネクタはオス端部、メス端部及び固定部材を含む。オス端部は第一収容空間を形成することで第一端子を設置する。オス端部の両側にはそれぞれ延伸部材が形成される。第一端子の一端は第一板体に接続され、延伸部材の側辺には肋体が形成される。メス端部は基座、蓋体及び第二端子を含む。基座と蓋体は結合して第二収容空間を形成することで第二端子を設置する。第二端子の一端は第二板体に接続される。第二端子のもう一方の一端は第一端子のもう一方の一端に接続される。蓋体の両側にはそれぞれ、延伸部材と組合さる結合部材が形成される。また、結合部材の内縁には突塊が形成される。固定部材はメス端部の両側に設置される。固定部材の一端は蓋体の表面に設置され、固定部材のもう一方の一端は第二板体に固定される。オス端部とメス端部が結合すると、延伸部材の肋体が結合部材の突塊に引掛かることで、オス端部を軸方向へと位置制限し、そしてメス端部が固定部材により平面方向へと位置制限される。なお、軸方向とは平面方向に垂直な方向を言う。
【００１３】
周知の技術と比較すると、本考案の提供する浮動式コネクタにより、オス端部とメス端部が組立てられる過程において容易に取り付けが行われ、またオス端部とメス端部が外力を受けることで接続状態から離脱する状況が防止される。
【図面の簡単な説明】
【００１４】
【図１】本考案の第一実施例における浮動式コネクタの構造図である。
【図２】図２（ａ）は、本考案の図１における浮動式コネクタのメス端部の構造図である。図２（ｂ）は、本考案の図１における浮動式コネクタのオス端部とメス端部による結合を示す図である。図２（ｃ）は、本考案の図１における浮動式コネクタのオス端部とメス端部によるもう一つの結合を示す図である。
【図３】図３（ａ）は、本考案の図１における浮動式コネクタの第二端子の構造図である。図３（ｂ）は、本考案の図１における浮動式コネクタの第二端子のもう一つの構造図である。
【図４】本考案の図１における浮動式コネクタのオス端部とメス端部の解剖図である。
【考案を実施するための形態】
【００１５】
本考案の目的、特徴及び効果についての理解に資するために、以下に述べる具体的な実施例を通じて、並びに付属の図面と合わせて、本考案の詳細な説明をする。
【００１６】
本考案の要素の個数は、特に記載がない場合を除き、一つまたは少なくとも一つであり、且つ複数である場合を含むことを理解されたい。
【００１７】
本考案における「含む」や「備える」またそれらに類似する用語は、被排他的な包括物を網羅していることを意味する。例えば、複数の要素を含むユニットや構造、製品、装置は、本文に記載される要素に限らず、明確な記載がないが当該ユニットや構造、製品、装置が通常有しうる他の要素を包括することも出来る。これ以外に、特に記載がない場合を除き、本文中の「または」という用語は包括的意味合いとして用いられ、排他的意味合いを具備しない。
【００１８】
図１、即ち本考案の第一実施例における浮動式コネクタの構造図を参照する。図１において、浮動式コネクタ１０は外部の第一板体（図示していない）及び第二板体（図示していない）と接続され得る。第一板体及び第二板体はプリント回路板とすることができる。
【００１９】
浮動式コネクタ１０はオス端部１２、メス端部１４及び固定部材１６を含む。本実施例において、第一板体はオス端部１２に接続され、第二板体はメス端部１４に接続される。
【００２０】
本実施例において、オス端部１２は長矩形の接続端子として説明されており、材料はプラスチックとすることができる。オス端部１２は内に第一収容空間ＦＳＰを形成することで（図４を合わせて参照されたい）第一端子１２４を設置する。本実施例において、第一収容空間ＦＳＰは更に、第一端子１２４を固定する溝（図示していない）を形成することができる。更に、オス端部１２の両側にはそれぞれ延伸部材１２２が形成される。本実施例において、延伸部材１２２の構造の形状はＬ字形の様なものとして説明される。第一端子１２４の一端（第一板体に接触する一端）は第一板体に接続されることで、第一板体と電気信号を伝送することができる。また、延伸部材１２２の側辺には肋体１２６が形成される（図２（ｂ）を合わせて参照されたい）。
【００２１】
メス端部１４は基座１４１、蓋体１４３及び第二端子１４４を含む。
【００２２】
基座１４１と蓋体１４３は結合して第二収容空間ＳＳＰを形成することで（図４を合わせて参照されたい）、第二端子１４４を設置する。
【００２３】
蓋体１４３の両側にはそれぞれ、延伸部材１２２と組合さる結合部材１４２が形成される。また、結合部材１４２の内縁には突塊１４２６が形成される（図２（ａ）及び図２（ｂ）を参照されたい）。本実施例において、突塊１４２６は結合部材１４２の内縁の一箇所を形成し、且つ前記箇所の高さは、オス端部１２がメス端部１４の軸方向（例えば本考案図面におけるＺ軸方向）へと制限される際の移動量を決定する。詳しく言えば、図２（ｂ）の様にオス端部１２とメス端部１４が結合すると、延伸部材１２２の肋体１２６が結合部材１４２の突塊１４２６に引掛かることで、オス端部１２を軸方向へと位置制限し、そしてメス端部１４が固定部材１６により平面方向へと位置制限される。本実施例において、軸方向とは平面方向に垂直な方向を言う。オス端部１２及びメス端部１４が結合した状態の解剖図については、図４を参照されたい。
【００２４】
これ以外に、結合部材１４２の切欠の形状はＬ字形の様なものとして説明されるが、他の実施例において、切欠の形状はその他の形状とすることもできる。また、結合部材１４２は斜面１４２２を備え、斜面１４２２は結合部材１４２が延伸部材１２２と接続する側に形成され、これにより延伸部材１２２が結合部材１４２に滑入されやすくなる。また、本実施例において、メス端部１４は端子溝１４３０を提供する事で、第一端子１２４と第二端子１４４を接続させることができる。
【００２５】
他の実施例において、結合部材１４２は凹溝１４２４を形成することで、結合部材１４２の切欠と連通させることができ、これにより結合部材１４２は弾性を有し、弾性アームの様な移動性を備える事となる。
【００２６】
図３（ａ）及び（ｂ）、即ち本考案の図１における浮動式コネクタの第二端子の構造図を合わせて参照する。第二端子１４４の一端１４４８は、例えば溶接等により第二板体に接続される。第二端子１４４のもう一方の一端１４４２は、例えば電気的に第一端子１２４のもう一方の一端（第一板体に接触しない一端）に接続される。本実施例において、第二端子１４４は更に突出部材１４４４及び弾性部材１４４６を含む。突出部材１４４４は、弾性部材１４４６の一端と、前記一端１４４２との間に形成される。突出部材１４４４は、例えば挿入といった形で蓋体１４３と接続され、例えば蓋体１４３は第二収容空間ＳＳＰで挿溝を形成することで（図示していない）突出部材１４４４を挿入させ、第二端子１４４と蓋体１４３とを結合させることができる。弾性部材１４４６のもう一方の一端は前記一端１４４８と接続される。突出部材１４４４は蓋体１４３から来る外力（例えば、組立時に生成される力、または移動時に浮動式コネクタに作用する応力等）を受けることで、弾性部材１４４６に変形を生成させ、更に蓋体１４３を平面方向（例えば、本図面中のＸ軸及びＹ軸から構成される平面方向）において移動させる。図３（ａ）の第二端子１４４と図３（ｂ）の第二端子１４４'との差異については、図３（ａ）の第二端子１４４の弾性部材１４４６は、Ｘ軸及びＹ軸から構成される平面方向と垂直であるのに対し、図３（ｂ）の第二端子１４４'の弾性部材１４４６'は、Ｘ軸及びＹ軸から構成される平面方向と平行である。
【００２７】
固定部材１６はメス端部１４の両側に設置される。本実施例において、固定部材１６の材質は金属部材とすることができる。固定部材１６の一端は固定されずに蓋体１４３の表面に設置され、固定部材１６のもう一方の一端は第二板体に固定され、これにより固定部材１６が移動できなくなる。また、固定部材１６は蓋体１４３の表面と距離を取り、この距離によりメス端部１４の軸方向または平面方向の移動量が決定されることになる。
【００２８】
図２（ｃ）を合わせて参照する。延伸部材１２２は延伸斜面１２８を形成することができ、突塊１４２６は凸塊斜面１４２８を形成する。延伸斜面１２８が凸塊斜面１４２８と対応することで、延伸部材１２２が結合部材１４２から離脱するようになる。即ち、繰り返し抜差しができるコネクタが形成されることとなる。
【００２９】
上述に本考案の典型的実施例を説明したが、その目的は当業者の本考案の内容に対する理解に資する事であり、本考案を制限するものではない。考案は当業者であれば諸般の修飾が可能であるが、そのいずれも本考案の範囲を脱せず、いずれも後付の実用新案登録請求の範囲の保護範囲に含まれる。
【符号の説明】
【００３０】
１０                      浮動式コネクタ
１２        オス端部
１２２        延伸部材
１２４        第一端子
１２６        肋体
１２８        延伸斜面
１４        メス端部
１４１        基座
１４２        結合部材
１４２２        斜面
１４２４        凹溝
１４２６        突塊
１４２８        凸塊斜面
１４３        蓋体
１４３０        端子溝
１４４、１４４'          第二端子
１４４２、１４４８        一端
１４４４        突出部材
１４４６、１４４６'        弾性部材
１６                              固定部材
ＦＳＰ        第一収容空間
ＳＳＰ        第二収容空間
【図１】
0003222722.tif 000003
【図２（ａ）】
0003222722.tif 000004
【図２（ｂ）】
0003222722.tif 000005
【図２（ｃ）】
0003222722.tif 000006
【図３（ａ）】
0003222722.tif 000007
【図３（ｂ）】
0003222722.tif 000008
【図４】
0003222722.tif 000009